(57)【要約】【課題】  本発明の課題は、すべり防止効果が十分に得られ且つ低コスト化を図ることができる蓋を提供することである。【解決手段】  本発明の蓋１は、開口を塞ぐ金属製であって、上面に間隔を開けて条状の嵌合溝７を複数有し、嵌合溝７には樹脂製のすべり防止部材９が嵌合されている。また、蓋１は隣り合う複数の形材３からなり、各形材３は隣り合う一方の側面に設けた嵌合部１５と隣り合う他方の側面に設けた被嵌合部１７とを有し、形材３の一方の側面に設けた嵌合部１５が隣り合う形材３の被嵌合部１７に嵌合し、形材３同士を互いに連結しており、各形材３にすべり防止部材９の嵌合溝７を形成している。【選択図】      図１
2005171533.tif 000002
【特許請求の範囲】
【請求項１】
開口を塞ぐ金属製の蓋であって、上面に間隔を開けて条状の嵌合溝を複数有し、嵌合溝には樹脂製のすべり防止部材が嵌合されていることを特徴とする蓋。
【請求項２】
蓋は隣り合う複数の形材からなり、各形材は隣り合う一方の側面に設けた嵌合部と隣り合う他方の側面に設けた被嵌合部とを有し、形材の一方の側面に設けた嵌合部が隣り合う形材の被嵌合部に嵌合し、形材同士を互いに連結しており、各形材にすべり防止部材の嵌合溝が形成してあることを特徴とする請求項１に記載の蓋。
【請求項３】
一方の形材と他方の形材との間には隙間調整部材が設けられており、隙間調整部材の一端は一方の形材に固定されており、他端は他方の形材に向けて突設する係止部を有してあり、係止部は他方の形材の上面に載置してあることを特徴とする請求項１又は２に記載の蓋。
【発明の詳細な説明】
【技術分野】
【０００１】
本発明は、マンホールや水処理槽等の開口を塞ぐ蓋に関するものである。
【背景技術】
【０００２】
特許文献１には、金属製の蓋の表面にすべり防止用の凹凸を形成した技術が開示されている。
【０００３】
一方、特許文献２には、金属製の蓋の表面全体に樹脂製のすべり防止部材を装着した技術が開示されている。
【０００４】
【特許文献１】特開平８−２０６７６１号公報
【特許文献２】特開平８−１１３９５７号公報
【発明の開示】
【発明が解決しようとする課題】
【０００５】
しかし、上述の特許文献１に開示の技術は、すべり防止用の凹凸は金属製であるため、すべり防止効果を十分に得られないという問題がある。
【０００６】
一方、特許文献２に開示の技術は、金属製の蓋の表面全体を樹脂製のすべり防止部材で覆っているため、樹脂材が大量に必要であり、コスト高となるという問題がある。
【０００７】
そこで、本発明は、すべり防止効果が十分に得られ且つ低コスト化を図ることができる蓋の提供を目的とする。
【課題を解決するための手段】
【０００８】
請求項１に記載の発明は、開口を塞ぐ金属製の蓋であって、上面に間隔を開けて条状の嵌合溝を複数有し、嵌合溝には樹脂製のすべり防止部材が嵌合されていることを特徴とする。
【０００９】
請求項２に記載の発明は、請求項１記載の発明において、蓋は隣り合う複数の形材からなり、各形材は隣り合う一方の側面に設けた嵌合部と隣り合う他方の側面に設けた被嵌合部とを有し、形材の一方の側面に設けた嵌合部が隣り合う形材の被嵌合部に嵌合し、形材同士を互いに連結しており、各形材にすべり防止部材の嵌合溝が形成してあることを特徴とする。
【００１０】
請求項３に記載の発明は、請求項１又は２に記載の発明において、一方の形材と他方の形材との間には隙間調整部材が設けられており、隙間調整部材の一端は一方の形材に固定されており、他端は他方の形材に向けて突設する係止部を有してあり、係止部は他方の形材の上面に載置してあることを特徴とする。
【発明の効果】
【００１１】
請求項１に記載の発明によれば、蓋の上面に設けたすべり防止部材は樹脂製であるのですべり難いとともに、すべり防止部材は間隔を開けて条状に複数設けてあるので、樹脂材が少なくてすみ、低コスト化を図ることができる。
【００１２】
また、すべり防止部材が破損した場合には、その破損したすべり防止部材の条だけを交換すれば良く、従来例のように蓋の表面全体を覆うすべり防止部材を丸ごと交換する必要がなく、部分的な交換ができる。
【００１３】
請求項２に記載の発明によれば、請求項１に記載の発明と同様の効果を奏するとともに、形材の一方の側面に設けた嵌合部と隣り合う位置に配置する形材の他方の側面に設けた被嵌合部とを嵌合させて形材同士を互いに連結しているので、連結する形材の数を変更することで、同じ形材を用いて長さの異なる蓋を製造することができる。
【００１４】
請求項３に記載の発明によれば、請求項１又は２に記載の発明と同様の効果を奏するとともに、係止部が他方の形材の上面に載置してあるので、隣り合う形材間の位置をずらして隙間間隔を調整できるので、寸法誤差を吸収できる。
【発明を実施するための最良の形態】
【００１５】
以下に、添付図面を参照して本発明の実施の形態を説明する。図１は図４の一点鎖線で囲んだ（ｃ）部分を抜き出して拡大して示す縦断面図であり、図１中一点鎖線で抜き出して囲んだ（ａ）部分は、すべり防止部材を収納した嵌合溝を示す拡大図、（ｂ）は形材間の嵌合部分を示す断面図、図２は図４に示す蓋の平面図、図３は図２に示す蓋のＡ−Ａ断面図、図４は本発明の実施の形態に係る蓋の縦断面図である。
【００１６】
本実施の形態に係る蓋１は、下水処理場における水処理槽３０の開口を塞ぐものであり、開口の周囲に設けた開口枠２に並べた複数の形材ユニット４からなる。各形材ユニット４は複数の形材３を連結して構成しており、形材ユニット４の上面には形材ユニット４を持ち上げるための取っ手６を設けている。
【００１７】
形材３はアルミニウム合金製であり、断面矩形の中空形状を有している。また形材３の上面５には条状の嵌合溝７が押し出し成型により形成されており、嵌合溝７の上部には抜け止め部７ａを有している。
【００１８】
嵌合溝７には樹脂製のすべり防止部材９が嵌め込まれている。すべり防止部材９は、その段部９ａが嵌合溝７の抜け止め部７ａに係止され、すべり防止部材９が上方に抜け難くなっている。
【００１９】
形材３の左側面（一方の側面）１１には凹状の嵌合部１５を上下に形成しており、右側面（他方の側面）１３には凸状の被嵌合部１７を上下に形成している。そして、形材３の右側面１３に設けた被嵌合部１７と、隣り合う形材３の左側面１１に設けた嵌合部１５とを嵌合し、形材３同士を互いに連結している。
【００２０】
隣り合う形材ユニット４間には、形材ユニット４間の隙間を調整する隙間調整部材１９が設けられている。隙間調整部材１９は、一方の形材ユニット４の形材３にねじ固定される固定部２２と、他方の形材ユニット４の形材３の上面５に載置される係止部２１とから構成されている。
【００２１】
また、開口周囲に設けた開口枠２と形材３との間にも、上記と同様の隙間調整部材１９を設けており、隙間調整部材１９の固定部２２を形材３にねじ固定し、係止部２１を開口枠２の溝に固定した固定枠材２５の上面に載置している。
【００２２】
次に、本実施の形態にかかる蓋の製造方法及び作用について説明する。蓋１の製造は、すべり防止部材９を形材３の嵌合溝７にスライドにより取り付け、複数の形材３を嵌合により互いに連結して形材ユニット４を組み立てる。また、形材ユニット４の一方の端部側に位置する形材３には、隙間調整部材１９の固定部２２をねじ固定する。
【００２３】
そして、蓋１を水処理槽３０に設置する場合には、開口の端部側から形材ユニット４を順次並べて配置する。このとき、隙間調整部材１９の係止部２１を既に開口に設置した形材ユニット４の上面５に重なるように配置し、水処理槽３０の開口を塞ぐ。
【００２４】
開口枠２に形材ユニット４を並べ終えた際に、端部側の形材ユニット４と開口枠２との間に寸法誤差が生じ、端部側の形材ユニット４と開口枠２との間に隙間が生じている場合は、隙間調整部材１９の係止部２１と他方の形材ユニット４の上面５との重なり部分を少なくして、各形材ユニット４間の隙間を広げて形材ユニット４を配置し、端部側の形材ユニット４と開口枠２との間に生じている隙間を塞ぐ。
【００２５】
一方、端部側の形材ユニット４が開口枠２からはみだすような場合は、隙間調整部材１９の係止部２１と形材ユニット４の上面５との重なり部分を多くして、各形材ユニット４間の隙間を詰めて形材ユニット４を配置し、端部側の形材ユニット４が開口枠２内に納まるようにする。
【００２６】
このように、隣り合う形材ユニット４間の位置をずらして形材ユニット４間の隙間を調整して、端部側の形材ユニット４と開口枠２との間に生じる寸法誤差を吸収できるので、形材３の端部を電動カッター等で切断したり、溶接で部材を継ぎ足したりする必要がなく、施工が容易である。
【００２７】
隙間調整部材１９は、各形材ユニット４間に設けているので、端部側の形材ユニット４と開口枠２との間に生じる寸法誤差が大きな場合にも対応することができる。
形材３は形材同士を互いに嵌合により連結しているので、連結する形材３の数を変更することで、同じ形材３を用いて長さの異なる形材ユニット４を製造することができる。
【００２８】
蓋１の上面５に設けたすべり防止部材９は樹脂製であるのですべり難いとともに、すべり防止部材９は間隔を開けて条状に複数設けてあるので、樹脂材が少なくてすみ、低コスト化を図ることができる。
【００２９】
また、すべり防止部材９が破損した場合には、その破損したすべり防止部材の条だけを交換すれば良く部分的な交換ができる。
形材３はアルミニウム合金製であるので、軽量で取り扱い易い。
【００３０】
本発明は、上述した実施の形態に限らず、本発明の要旨を逸脱しない範囲で種々変形可能である。
【００３１】
すべり防止部材９は形材３の上面５に１条設けたが、これに限定されず、間隔を開けて配置すれば形材３の上面５に２条以上設けても良い。
１つの形材ユニット４は形材３を６枚並べて構成しているが、その数は限定されない。  形材３は断面矩形状としたが、これに限定されず、断面の形状は円形状であっても良いし、例えば六角形状の多角形であっても良い。
蓋１は、下水処理場における水処理槽３０の開口を塞ぐものに限らず、マンホール等、その用途は限定されない。
【図面の簡単な説明】
【００３２】
【図１】図４の一点鎖線で囲んだ（ｃ）部分を抜き出して拡大して示す縦断面図であり、図１中一点鎖線で抜き出して囲んだ（ａ）部分は、すべり防止部材を収納した嵌合溝を示す拡大図、（ｂ）は形材間の嵌合部分を示す断面図である。
【図２】図４に示す蓋の平面図である。
【図３】図２に示す蓋のＡ−Ａ断面図である。
【図４】本発明の実施の形態に係る蓋の縦断面図である。
【符号の説明】
【００３３】
１          蓋
３          形材
５          上面
７          嵌合溝
９          すべり防止部材
１１        左側面（一方の側面）
１３        右側面（他方の側面）
１５        嵌合部
１７        被嵌合部
１９        隙間調整部材
２１        係止部
【図１】
2005171533.tif 000003
【図２】
2005171533.tif 000004
【図３】
2005171533.tif 000005
【図４】
2005171533.tif 000006